(57)【要約】【課題】付箋を見る者の位置に関わらず、注目すべき情報の箇所をピンポイントで目立たせることができるとともに、剥離の容易な付箋を提供する。【解決手段】フィルム基材１０を折り曲げてなるものであって、フィルム基材１０が粘着する領域である粘着部２０と、フィルム基材１０が粘着部２０に対して起立する領域である起立部３０と、粘着部２０と起立部３０とを連結する領域である折り曲げ部４０とを備え、起立部３０が粘着部２０の基材面に対して所定の角度θに傾いて起立する。また、起立部３０の基材面３１には目印図形３５と、粘着部２０の基材面２１にはその目印図形３５の影に相当する影図形２５とを備えている。【選択図】図２
0003200702.tif 000002
【実用新案登録請求の範囲】
【請求項１】
フィルム基材を折り曲げてなる付箋であって、
前記フィルム基材が設置面に粘着する領域を粘着部とし、
前記フィルム基材が前記粘着部に対して起立する領域を起立部とし、
前記フィルム基材が折曲がって前記粘着部と前記起立部とを連結する領域を折り曲げ部として、
前記起立部は前記粘着部の基材面に対して斜めに傾いて起立する付箋。
【請求項２】
前記フィルム基材において、前記粘着部は前記折り曲げ部の一方側にのみ位置し、前記起立部は前記折り曲げ部の他方側にのみ位置する請求項１に記載の付箋。
【請求項３】
前記粘着部の基材面と前記起立部の基材面との間の折り曲げ角θが４５°≦θ＜９０°の範囲にある請求項１又は２に記載の付箋。
【請求項４】
前記折り曲げ部は、前記起立部を前記粘着部に対して前記折り曲げ角θに復元する復元力を備える請求項３に記載の付箋。
【請求項５】
前記折り曲げ部は、前記フィルム基材の内角側の表面に、前記フィルム基材が折曲がる折れ線方向に延在する溝を備える請求項１〜４のいずれか一項に記載の付箋。
【請求項６】
前記折り曲げ部は、前記フィルム基材の内角側の表面から外角側の表面に貫通する貫通孔を備える請求項１〜５のいずれか一項に記載の付箋。
【請求項７】
前記起立部又は／及び前記粘着部は光透過性を有する請求項１〜６のいずれか一項に記載の付箋。
【請求項８】
前記起立部は目印図形を備え、
前記粘着部は前記目印図形の影に相当する影図形を備える請求項１〜７のいずれか一項に記載の付箋。
【請求項９】
前記粘着部は前記設置面の側の表面に再剥離及び再粘着が可能な粘着層を備える請求項１〜８のいずれか一項に記載の付箋。
【請求項１０】
前記フィルム基材は、シート状基材と前記シート状基材の片面に設置される粘着層とを備え、
前記起立部は、前記粘着層の前記シート状基材とは反対側に粘着止フィルムが貼り付けられる請求項１〜８のいずれか一項に記載の付箋。
【考案の詳細な説明】
【技術分野】
【０００１】
この考案は付箋に関し、特に、注目すべき情報の箇所をピンポイントで目立たせることができる付箋に関する。
【背景技術】
【０００２】
従来、情報に対する注意を喚起するための付箋として各種の付箋が提案されている。このような付箋において、特許文献１に示すように、付箋を立体化した技術が提案されている。特許文献１には、折曲可能なふせん基材と、前記ふせん基材の表面に形成され且つ少なくともその終端が前記ふせん基材の端縁に達し、山折りの折曲位置を示すように形成された折曲部と、前記ふせん基材の裏面に形成された再接着型粘着剤層とを含み、再接着型粘着剤層面を被貼着物に接着したとき、前記折曲部部分を山とした山折り状にて、前記折曲部の前記終端部で指示部を形成するように、前記ふせん基材の形状が形成された、立体ふせんが開示されている。
【０００３】
この付箋は、ふせん基材を山折りし、山折りされた折曲部が斜め下方に向かって終端する終端部とふせん基材の端縁部とで指示部を形成し、指示する場所を示すものである。
【先行技術文献】
【特許文献】
【０００４】
【特許文献１】特許第２６８４３５４号公報
【考案の概要】
【考案が解決しようとする課題】
【０００５】
上記の技術の場合、情報の位置は、山折り状にした折曲部の終端部と付箋基材の端縁部によって指示される。したがって、立体的に形成した折曲部だけでは被粘着物に表示される情報の位置が特定されない。情報の位置は、折曲部が斜め下方に向かって終端する終端部へ視線を移動させた先にある。また、山折りされた折曲部を鉛直方向から見る場合は折曲部の稜線しか目に入らないので、結局、折曲部の終端部近傍に位置し、被粘着物に粘着される領域の付箋基材の２次元図形によって情報の位置を指示することとなる。このとき付箋を見る者にとって２次元図形では情報の位置が目立たない。また、この付箋は被粘着物に対し折曲部を挟む両側の付箋基材が粘着する。そのため、折曲部を摘まんで付箋を被粘着面から剥がそうとすると、折曲部の両側が被粘着面に粘着し、剥離し難い。
【０００６】
そこで、この考案の課題は、注目すべき情報の箇所をピンポイントで目立たせることができるとともに、剥離の容易な付箋を提供することにある。
【課題を解決するための手段】
【０００７】
上述した課題を解決するため、本考案は、フィルム基材を折り曲げてなる付箋であって、前記フィルム基材が設置面に粘着する領域を粘着部とし、前記フィルム基材が前記粘着部に対して起立する領域を起立部とし、前記フィルム基材が折曲がって前記粘着部と前記起立部とを連結する領域を折り曲げ部として、前記起立部は前記粘着部の基材面に対して斜めに傾いて起立するように構成した。
【０００８】
前記フィルム基材において、前記粘着部は前記折り曲げ部の一方側にのみ位置し、前記起立部は前記折り曲げ部の他方側にのみ位置することを特徴とする。
【０００９】
また、前記粘着部の基材面と前記起立部の基材面との間の折り曲げ角θが４５°≦θ＜９０°の範囲にあることを特徴とする。
【００１０】
また、前記折り曲げ部は、前記起立部を前記粘着部に対して前記折り曲げ角θに復元する復元力を備えることを特徴とする。
【００１１】
また、前記折り曲げ部は、前記フィルム基材の内角側の表面に、前記フィルム基材が折曲がる折れ線方向に延在する溝を備えることを特徴とする。
【００１２】
また、前記折り曲げ部は、前記フィルム基材の内角側の表面から外角側の表面に貫通する貫通孔を備えることを特徴とする。
【００１３】
また、前記起立部又は／及び前記粘着部は光透過性を有することを特徴とする。
【００１４】
また、前記起立部は目印図形を備え、前記粘着部は前記目印図形の影に相当する影図形を備えることを特徴とする。
【００１５】
また、前記粘着部は前記設置面の側の表面に再剥離及び再粘着が可能な粘着層を備えることを特徴とする。
【００１６】
また、前記フィルム基材は、シート状基材と前記シート状基材の片面に設置される粘着層とを備え、前記起立部は、前記粘着層の前記シート状基材とは反対側に粘着止フィルムが貼り付けられることを特徴とする。
【考案の効果】
【００１７】
本考案によれば、注目すべき情報の箇所をピンポイントで目立たせることができるとともに、剥離の容易な付箋を提供することができる。
【図面の簡単な説明】
【００１８】
【図１】本考案にかかる付箋の使用態様を示す斜視図。
【図２】本考案にかかる付箋の構成を示すものであって、（ａ）は斜視図、（ｂ）は縦断面図、（ｃ）は（ｂ）におけるＡ−Ａ断面図。
【図３】本などを畳んだ状態における付箋の使用態様を示す側面図。
【図４】起立部の目印図形及び粘着部の影図形のバリエーションを示す斜視図。
【図５】本考案の形状のバリエーションを示す斜視図。
【図６】本考案にかかる付箋の製造工程を説明するための図。
【考案を実施するための形態】
【００１９】
以下、本考案にかかる付箋の実施形態を添付の図を参照しつつ説明する。なお、本考案は以下に記述された実施形態に限定されるものではない。
【００２０】
本実施形態における付箋１は、図１に示すように、本の他、地図、ノート、宣伝制作物、ノベルティなど本付箋１を設置面１００に設置することが可能な対象物に設置する。これにより、注目すべき情報の箇所が立体的に示され、ピンポイントでコンパクトに特定することができる。また、付箋１を設置面１００から剥離する際は、起立部３０を摘まんで粘着部２０の一方側から引き剥がすので、設置面１００から付箋１を容易に剥離することができる。
【００２１】
付箋１は、フィルム基材１０を折り曲げてなるものであって、図２（ａ）の斜視図に示すように、フィルム基材１０が粘着する領域である粘着部２０と、フィルム基材１０が粘着部２０に対して起立する領域である起立部３０と、粘着部２０と起立部３０とを連結する領域である折り曲げ部４０とを備え、図２（ｂ）の断面図に示すように、起立部３０が粘着部２０の基材面２１に対して所定の角度θに傾いて起立する。また、起立部３０は目印図形３５を備えることができる。例えば、起立部３０の基材面３１に手書きや印刷により目印図形３５を形成することができる。更に、粘着部２０は目印図形３５の影に相当する影図形２５を備えることができる。例えば、粘着部２０の基材面２１に手書きや印刷により影図形２５を形成することができる。以下、具体的に説明する。
【００２２】
フィルム基材１０は、図２（ｂ）に示すように、シート状基材１１とシート状基材１１の片面、即ち設置面１００側に設置される粘着層１２とを備えている。さらに図２（ｂ）の部分拡大図で示すように、シート状基材１１の上にポリエチレンフィルムなどでラミネート加工を施してもよい（１４）。ラミネート加工を施すことにより、シート状基材１１の表面が保護され、印刷面が紫外線で退色することを防ぐことができる。さらに、フィルム基材１０の弾性を維持し、付箋１が手で摘まれることにより生ずる汚れや水分から守ることができる。
【００２３】
シート状基材１１は、ポリエステル、ポリプロピレン、ポリエチレンテレフタレートなどの合成樹脂フィルム基材を用いることができる。このシート状基材１１は、加工後に端部が曲がったり、丸まったりしない程度の剛性及び弾性を有し、薄く、巻回できる柔軟性のあるものが好ましい。
【００２４】
シート状基材１１は、光透過性を有する。また、シート状基材１１には、手書き又は印刷によって文字や図形を描くことができる。本実施形態の場合、後述する粘着部２０及び起立部３０はいずれも光透過性が高く、目印図形３５及びその目印図形３５の影に相当する影図形２５をシート状基材１１に印刷している。光透過性を高めることで、印刷等された図形を目立たせることができる。図２（ａ）に示すように、本実施形態の目印図形３５は、起立部３０に設置面１００方向を指す矢印を表し、粘着部２０には、その影が設置面１００に写ったかのような影図形２５を表している。このように、起立部３０の図形を目立たせることで、付箋を設置した箇所を容易に特定し、その情報の意味を速やかに把握することができる。
【００２５】
本実施形態では、フィルム基材１０として、リンテック株式会社の「リピール６０４１」（「リピール」は登録商標）を用いている。ここで、「リピール６０４１」とは、ポリエステル素材からなるもので、片面全体に再剥離及び再貼付可能な粘着層を備えているものである。「リピール６０４１」は、無地で光透過性が高く、流通段階では、粘着層１２がセパレーター（図示せず）に覆れている。
【００２６】
粘着部２０は、フィルム基材１０が設置面１００に粘着する領域である。粘着部２０は、上述のとおり、シート状基材１１と、設置面１００の側の表面に再剥離及び再粘着が可能な粘着層１２を備えている。
【００２７】
粘着部２０の形状は、図２（ｃ）に示すように、矩形状である。この粘着部２０の形状は、後述する起立部３０との関係や付箋１が接着される対象によって適宜自由に選択できる。即ち、起立部３０が長方形状なら粘着部２０も長方形状にし、起立部３０が円形状なら粘着部２０も円形状にして形状を揃えることもできる。また、付箋１が粘着される設置面１００において特定する情報が細かなものであれば、起立部３０だけでなく、粘着部２０を矢印状やピン形状にしたりすることでより情報の箇所の注意を惹くようにすることができる。
【００２８】
粘着部２０は、全体を光透過性が高いものとしている。これにより、上述の影図形２５を目立たせ、ひいては起立部３０の目印図形３５の存在が強調されている。粘着部２０は、その全体又は一部の光透過性を調整しながら着色して粘着部２０自体を目立たせることもできる。粘着部２０の全体が透明の場合、その形状は目立たないが、その場合でもシート状基材１１に文字を書くことで目立たせることもできる。また、粘着部２０が透明であれば、設置面１００に文字や絵柄が記載される場合に、付箋１を設置面１００に貼り付けた状態でこれらの文字や絵柄を視認することができる。
【００２９】
粘着部２０の領域に設けられる粘着層１２は、フィルム基材１０の設置面１００側の表面の全体にあっても一部にあってもよい。粘着層１２に用いる粘着剤の粘度が高いものであれば、粘着部２０の一部にだけ設けることができる。
【００３０】
本実施形態では、フィルム基材１０として、シート状基材１１の片面に再剥離及び再貼付が可能な粘着層１２を備えた「リピール６０４１」を用いている。この粘着剤は、アクリル系の粘着剤となる。このため、付箋１は、何度でも再剥離、再貼付が可能であり、異なる場所に何度でも設置することができる。粘着剤の主成分としてはアクリル系、ゴム系、シリコーン粘着剤などがある。「リピール６０４１」を用いずに、付箋１を貼り付けたままにするか、一定期間後に剥がすようにするか、などの付箋の使用態様に応じて、粘着剤は自由に選択することができる。
【００３１】
起立部３０は、フィルム基材１０が粘着部２０に対して起立する領域である。起立部３０は、図２に示すように、後述する折り曲げ部４０を介して粘着部２０より起立している。
【００３２】
起立部３０は、図１及び図３に示すように、設置面１００に押圧されていないときは起立し、その設置面１００に押圧されているときはその圧力により粘着部２０に重なるように倒れている。起立部３０は、設置面１００に押圧するものが無い状態になれば、直ちに立ち上がるので注目すべき情報の存在を強くアピールすることができる。その一方、本などが閉じられて起立部３０が設置面１００に押圧されたときは倒れるので嵩張ることはない。図３ではこの点、倒れた状態を分かり易くするように付箋１に厚みを持たせているが、実際は極めて薄い状態で折り畳まれる。
【００３３】
起立部３０は、図２（ｂ）に示すように、粘着部２０の基材面２１と起立部３０の基材面３１との間の折り曲げ角θが４５°≦θ＜９０°の範囲にあることが好ましい。起立部３０がこの角度に傾いていることにより、付箋１を見るものに注目すべき情報の箇所を強くアピールすることができる。また、この角度に起立しているので、起立部３０を摘まむことが容易となるので、付箋１を別の位置に設置することも容易である。
【００３４】
起立部３０は、光透過性を有する。起立部３０の全体又は一部を透明又は不透明としたり、一部分の光透過性を調整したりすることができる。本実施形態にかかる起立部３０は、全体に光透過性が高い。これにより後述する目印図形３５を目立たせている。
【００３５】
起立部３０には、矢印の他、手書き又は印刷で各種の目印図形３５を備えることができる。これにより、設置面１００における目印を付けたい情報に応じて目印図形３５が異なる付箋１を用いて情報の意味、即ち、続けて読む箇所、大事な箇所、疑問がある箇所、などを示すことができる。そして粘着部２０にはそれらの目印図形３５の影に相当する影図形２５を備えて、目印図形３５に当たる光の加減に関わらず目印図形３５が立ち上がっているように見せることができる。起立部３０が透明であれば、付箋１を設置面１００に貼り付けた状態で起立部３０を通して影図形２５を視認することができる。
【００３６】
本付箋１によれば、目立たせたい情報の箇所の真上に起立部３０が位置し、目印図形３５がその箇所をピンポイントで示し、文字や図形によってその情報が持つ意味を示すことができる。このように付箋１は、それを見た者に瞬時に情報の箇所を特定させ、情報の意味を把握させることができる。また、本付箋１は容易に剥離することができるので、薄い紙などからなる強度の小さい設置面１００に対しても使用することができる。また、本付箋１は、複数の折り曲げ線を基材の縁に収束させる必要もなく、簡便に形成することができる。
【００３７】
図４（ａ）〜（ｆ）は本考案に係る付箋１の斜視図であり、起立部３０の目印図形３５及び粘着部２０の影図形２５のバリエーションを示す。これらの目印図形３５によって、情報の意味を把握することができる。
【００３８】
図４（ａ）は、起立部３０にクエスチョンマークの目印図形３５を表し、粘着部２０にその影図形２５を表したものである。
図４（ｂ）は、起立部３０にエクスクラメーションマークの目印図形３５を表し、粘着部２０にその影図形２５を表したものである。
図４（ｃ）は、起立部３０にレ点の目印図形３５を表し、粘着部２０にその影図形２５を表したものである。
図４（ｄ）は、起立部３０に吹き出し状の目印図形３５を表し、粘着部２０にその影図形２５を表したものである。
図４（ｅ）は、起立部３０に×状の目印図形３５を表し、粘着部２０にその影図形２５を表したものである。
図４（ｆ）は、起立部３０にピン状の目印図形３５を表し、粘着部２０にその影図形２５を表したものである。
【００３９】
起立部３０の全体形状は、図２（ａ）に示すと同様である。起立部３０のフィルム基材１０は、設置面１００から離れる方向に突出する円弧状としている。この起立部３０の形状は、上述した粘着部２０の形状や付箋１が設置される対象及び情報に応じて適宜自由に形成できる。また、目印を付ける情報が細かなものであれば、起立部３０自体の形状を矢印状やピン形状にすることでより注意を惹くこともできる。
【００４０】
図５（ａ）〜（ｆ）は本考案に係る付箋１の斜視図であり、粘着部２０と起立部３０の各種形態を表す。
【００４１】
図５（ａ）は、粘着部２０と起立部３０の形状を半円状にしたものである。
図５（ｂ）は、粘着部２０を矩形状とし、起立部３０を矢印状にしたものである。
図５（ｃ）は、粘着部２０と起立部３０の形状を三角形状にしたものである。
図５（ｄ）は、粘着部２０を矩形状とし、起立部３０をＶ字状にしたものである。
図５（ｅ）は、粘着部２０と起立部３０の形状をほぼ円状にしたものである。
図５（ｆ）は、粘着部２０を矩形状とし、起立部３０を人間の輪郭形状にしたものである。
【００４２】
また、起立部３０は、上記のように板状に形成するだけでなく、起立部３０の上部を折り曲げ、または湾曲させてその頂部を設置面１００から離れる方向又は設置面１００に近づく方向に向けることもできる。
【００４３】
起立部３０には、図２（ａ）及び同（ｃ）に示すように、粘着層１２のシート状基材１１とは反対側に粘着止フィルム５０が貼り付けられている。
【００４４】
ここで、粘着止フィルム５０は、「リピール６０４１」のようなシート状基材１１の片面に粘着層１２が設置されたフィルム基材１０を用いた場合に用いる。即ち、粘着止フィルム５０は、起立部３０が起立した際にフィルム基材１０の粘着層１２を覆うものである。粘着止フィルム５０を貼り付けることにより、起立部３０は粘着力が失われ摘まみ易くなるとともに、フィルム面の光沢によって目印としての機能が向上する。
【００４５】
折り曲げ部４０は、図２に示すように、フィルム基材１０が折曲がって粘着部２０と起立部３０とを連結する領域である。ここで、フィルム基材１０において、粘着部２０は折り曲げ部４０の一方側にのみ位置し、起立部３０は折り曲げ部４０の他方側にのみ位置している。即ち、本実施形態にかかる付箋１は、粘着部２０、折り曲げ部４０、起立部３０で一連となった一つのユニットで構成されているものである。粘着部２０及び起立部３０は、折り曲げ部４０を挟んでそれぞれいずれか一方の側に位置する。従って、付箋１の構造は極めてシンプルである。加えて、付箋１を設置面１００から剥離する際は、起立部３０を摘まんで粘着部２０の一方側から引き剥がすので、設置面１００から付箋１を容易に剥離することができる。
【００４６】
折り曲げ部４０は、図２で示すように、粘着部２０と起立部３０との境に１か所存在している。しかしながら、折り曲げ部４０は、２か所以上の折れ曲り部位を有していてもよく、曲面の向きが異なる湾曲面を連続させて形成してもよい。即ち、粘着部２０の基材面２１と起立部３０の基材面２１とが傾斜している状態にあれば、その両者を連結する折り曲げ部４０の形状は自由に定めることができる。
【００４７】
具体的には、本付箋１の長手方向にかけて、粘着部２０から連続する第一折り曲げ部４０と、その第一折り曲げ部４０から連続する第一起立部３０と、その第一起立部３０から連続する第二折り曲げ部４０と、その第二折り曲げ部４０から連続する第二起立部３０が存在する場合、第一の折り曲げ部４０と第一の起立部３０と第二の折り曲げ部４０は一つの折り曲げ部４０と捉えることができる。この場合においても、粘着部２０と第二の起立部３０は折り曲げ角θを４５°≦θ＜９０°の範囲とすることが好ましい。
【００４８】
折り曲げ部４０は、起立部３０を粘着部２０に対して折り曲げ角θに復元する復元力を備えている。即ち、付箋１は、図１に示すように、本などに設置されてその設置面１００に押圧されていない状態になれば起立部３０が直ちに折り曲げ角θの角度で立ち上がる。これにより、注目すべき情報の箇所の存在を強くアピールすることができる。さらに、起立部３０に備えた目印図形３５の他、文字や色により、その情報の意味を伝えることもできる。
【００４９】
折り曲げ部４０は、その一部が粘着層１２によって設置面１００に粘着している領域を含む。この領域を含めて起立部３０を折り曲げ角θに復元する復元力を備える加工が施される。
【００５０】
図６は、本考案に係る付箋１の製造工程を説明するための図であり、折り曲げ部４０に復元力を付与する加工過程を含む。
【００５１】
図６（ａ）は、フィルム基材１０の一部を表す平面模式図である。例えば、フィルム基材１０は、帯状の形状を有し、シート状基材１１とシート状基材１１の片面に設置される粘着層１２を備える。シート状基材１１の表面には目印図形３５及びその影図形２５を帯状形状の長手方向に分離して印刷する。そして、影図形２５を含む所定の領域５０Ｓを除いた粘着層１２の露出面に、即ち粘着層１２のシート状基材１１とは反対側の表面に、粘着止フィルム５０をラミネートする。従って、粘着層１２は所定の領域５０Ｓにおいて露出している。
【００５２】
図６（ｂ）は、付箋１を平面に展開した平面模式図である。帯状に形成されたフィルム基材１０から付箋１を切り抜くと共に、折り曲げ部４０に復元力を付与する加工を施している。中央部においてフィルム基材１０の長手方向に直交する短手方向に筋押し加工と切れ込み加工を施している。
【００５３】
図６（ｃ）〜（ｅ）は、粘着止フィルム５０が設置されたフィルム基材１０の長手方向の断面模式図である。筋押し加工では、フィルム基材１０の折り曲げ部４０に、図６（ｃ）の矢印方向（フィルム基材１０の内角側となる表面の法線方向）から筋状に加圧し、フィルム基材１０の内角側の表面に、フィルム基材１０が折れ曲がる折れ線方向に延在する溝４１を形成する。図６（ｄ）に示すように、折り曲げ部４０を折り曲げて起立部３０を粘着部２０側に起こし、更に、図６（ｅ）に示すように、起立部３０を粘着部２０の基材面２１に対して折り曲げ角θに傾斜する癖付を行う。癖付は、起立部３０と粘着部２０の間の角度を折り曲げ角θに長時間維持する、或いは、折り曲げ角θを維持しながら折り曲げ部４０を所定温度に加熱して行うことができる。折り曲げ部４０は、フィルム基材１０の内角側の表面に、フィルム基材１０が折曲がる折れ線方向に延在する溝４１を備える。
【００５４】
さらに、切れ込み加工により、折り曲げ角θに復元する復元力をもたせる。具体的には、図６（ｃ）の矢印方向、即ち、フィルム基材の内角側の表面から外角側の表面に貫通する貫通孔４２が形成されるように切れ込みを入れる。本実施形態では、３か所の貫通孔４２が形成されている。これにより、フィルム基材１０が元の平板形状に戻ろうとする力を適度に失わせることができ、折り曲げ角θに復元する復元力を付与することができる。
【００５５】
貫通孔４２は、図６（ｂ）の状態において、フィルム基材１０の長手方向の外側部に接しない範囲で形成する。起立部３０が粘着部２０から分断され易くなることを防ぐためである。また、貫通孔４２の数やその大きさは、フィルム基材１０の粘着層１２の粘度や面積、フィルム基材１０の厚みなどによって左右される。貫通孔４２の数が増えると折り曲げ部４０の強度が低下し、付箋１を摘まみ上げる際に起立部３０が粘着部２０より分離し易くなる。考案者の実験によると、「リピール６０４１」をフィルム基材に用いてラミネート加工を施した状態で、貫通孔４２と同じ大きさの孔を５つ形成したときは起立部３０が分離し易くなり、２つの孔のときは折り曲げ角θに復元する復元力が弱くなり、内角が９０°以上になる傾向があった。したがって、貫通孔４２は、「リピール６０４１」を用いる場合、３乃至４か所が望ましい。
【００５６】
この筋押し加工と切れ込み加工の後、起立部３０と粘着部２０とを折り重ねて上から重しを載せてしばらく置くことで、フィルム基材１０が元の水平状態に戻らずに、折り曲げ角θに復元する復元力を付与することができる。なお、フィルム基材１０への印刷、筋押し加工及び切れ込み加工は全てシール印刷機で行うことができる。
【００５７】
以上述べたように本実施形態にかかる付箋１は、設置面１００における注目すべき情報の箇所、とりわけ細かな情報の位置及び情報の種類をピンポイントで目立たせることができるものである。
【符号の説明】
【００５８】
１  付箋
１０  フィルム基材
１１  シート基材
１２  粘着層
１４  ラミネート加工用フィルム
２０  粘着部
２１  粘着部の基材面
２５  影図形
３０  起立部
３１  起立部の基材面
３５  目印図形
４０  折り曲げ部
４１  溝
４２  貫通孔
５０  粘着止フィルム
５０Ｓ  領域
１００  設置面
θ  折り曲げ角
【図１】
0003200702.tif 000003
【図２】
0003200702.tif 000004
【図３】
0003200702.tif 000005
【図４】
0003200702.tif 000006
【図５】
0003200702.tif 000007
【図６】
0003200702.tif 000008